(57)【特許請求の範囲】
【請求項１】
駐車場内の駐車エリア毎に駐車車両の入出場を管理する駐車管理システムにおいて、
前記駐車エリア毎に設置され、その駐車エリア内の駐車車両を撮影する撮影手段と、
該撮影手段で撮影された駐車車両の映像を基に、前記駐車車両の車両番号を認識する車番認識手段と、
前記駐車エリアに対応させて、前記車番認識手段で認識された車両番号及び前記駐車車両の入場時刻を含む情報を記憶可能な駐車情報記憶手段と、
駐車場利用者に対して少なくとも駐車エリアの番号、前記車番認識手段で認識された自車両の車両番号及び入場時刻を表示する情報表示手段と、
駐車料金の事前精算を行う利用者によって駐車エリアの番号が入力され、該入力された駐車エリアの番号に応じて前記駐車情報記憶手段に記憶された駐車車両の車両番号及び入場時刻を読み取り、該読み取った入場時刻と現在時刻とから駐車時間を求めて駐車料金を算出し、該算出した駐車料金及び前記読み取った車両番号を利用者に表示し、その表示に従って利用者が支払う駐車料金の精算処理を行い、当該精算金額及び精算時刻を前記駐車情報記憶手段の該当する駐車エリアに対応させて登録する料金精算手段と、
前記撮影手段で撮影された駐車車両の映像を基に各駐車エリアの駐車車両の出場が判定されると、該出場車両の駐車していた駐車エリアに対応する前記駐車情報記憶手段に登録された精算時刻を基に、正規の出場か不正な出場かを判定する出場判定手段と、
該出場判定手段で不正な出場が判定されたとき、当該不正出場車両に関する不正利用情報を記憶する不正利用情報記憶手段と、
を備えて構成されたことを特徴とする駐車管理システム。
【請求項２】
前記不正利用情報記憶手段は、後払いの契約車両及び月極車両についての車両番号が予め登録されており、前記出場判定手段で不正な出場と判定された出場車両の車両番号が後払いの契約車両又は月極車両の車両番号に該当するとき、当該車両に関する不正利用情報の記憶を行わないことを特徴とする請求項１記載の駐車管理システム。
【請求項３】
前記駐車エリアに駐車車両の退出を阻止する退出阻止手段を設けないことを特徴とする請求項１又は２記載の駐車管理システム。
【請求項４】
前記情報表示手段は、前記駐車エリア毎に設けられ、対応する駐車エリアに予約があるときには、当該予約時間および予約車両の車両番号を表示可能であることを特徴とする請求項１〜３のいずれか１つに記載の駐車管理システム。
【発明の詳細な説明】
【０００１】
【発明の属する技術分野】
本発明は、時間貸し駐車場に設置される駐車管理システムに関し、特に、駐車エリア毎に駐車車両を無人管理する個別管理式の駐車管理システムに関する。
【０００２】
【従来の技術】
従来の時間貸し駐車場に設置される駐車場システムとしては、例えば、個別管理式の駐車管理システムがある。
この駐車管理システムでは、各駐車エリア１区画毎に、車両検出器、ロック板等の退出阻止装置、駐車料金の計算・表示・精算を行う精算装置を設け、駐車車両を検出して一定時間経過するとロック板を上昇させて退出を阻止するとともに駐車時間の計測を始め、駐車料金を表示する。駐車料金が精算されるとロック板を下降して退出を許可する。
【０００３】
このように従来の個別管理式の駐車管理システムでは、駐車料金未払いで出場できないようにするために、ロック板などの退出阻止装置を駐車エリア毎に設けることを１つの特徴とする。
尚、駐車時間の計測や料金の算出・精算を一個所で行う集中精算方式（ＣＰＬ）の駐車管理システムもあるが、この場合でも、各駐車エリア毎に車両検出器やロック板が設けられる。
【０００４】
【発明が解決しようとする課題】
しかしながら、従来の個別管理式の駐車管理システムでは、近年普及した四輪駆動車や地上最低高の高い車などが、ロック板を強引に乗り越えて料金未払いのまま脱出することがあり問題であった。この場合には、駐車料金を徴収できないばかりか、時には、ロック板等の退出阻止防止装置を壊されたりして損害を被ることがある。損害を被ったときでも、無人管理の駐車場であるために損害の賠償の請求もままならない。このため、例えば、不正出場する車両をビデオテープに録画して不正行為を抑止したり、録画したビデオテープを証拠として損害賠償を請求することもあるが、そのための設備投資や人件費などで膨大な経費がかかってしまう。
【０００５】
また、例えば、観光地などの大型バス用の有料駐車場を考えてみると、殆どの駐車場は有人で管理しており、無人管理の駐車場の場合は面積が広くて余裕のある場合に限られている。比較的狭い駐車場では、隣接する道路からの直乗入れとなることが多く、このような大型バス用の駐車場を無人管理する一手段として、例えば、各駐車エリアにロック板を設けることが考えられる。しかし、馬力のある大型バスゆえに、容易にロック板を乗り越えて脱出されたり、ロック板を破壊されることが懸念される。
【０００６】
更に、例えば、観光バスなどの場合は、スケジュールにより何処に何時ごろ駐車するかが事前に分かるため、駐車場の予約を行なうことがある。駐車場側では、予約されると駐車エリアの確保が必要となり、その管理を人手に頼っているのが現状である。
本発明は上記問題点に着目してなされたもので、駐車料金を確実に徴収でき、大型車両用の駐車場にも適用可能な個別管理式の駐車管理システムを提供し、また、駐車予約の無人管理を可能にした駐車管理システムを提供することを目的とする。
【０００７】
【課題を解決するための手段】
このため本発明のうちの請求項１に記載の発明は、駐車場内の駐車エリア毎に駐車車両の入出場を管理する駐車管理システムにおいて、前記駐車エリア毎に設置され、その駐車エリア内の駐車車両を撮影する撮影手段と、該撮影手段で撮影された駐車車両の映像を基に、前記駐車車両の車両番号を認識する車番認識手段と、前記駐車エリアに対応させて、前記車番認識手段で認識された車両番号及び前記駐車車両の入場時刻を含む情報を記憶可能な駐車情報記憶手段と、駐車場利用者に対して少なくとも駐車エリアの番号、前記車番認識手段で認識された自車両の車両番号及び入場時刻を表示する情報表示手段と、駐車料金の事前精算を行う利用者によって駐車エリアの番号が入力され、該入力された駐車エリアの番号に応じて前記駐車情報記憶手段に記憶された駐車車両の車両番号及び入場時刻を読み取り、該読み取った入場時刻と現在時刻とから駐車時間を求めて駐車料金を算出し、該算出した駐車料金及び前記読み取った車両番号を利用者に表示し、その表示に従って利用者が支払う駐車料金の精算処理を行い、当該精算金額及び精算時刻を前記駐車情報記憶手段の該当する駐車エリアに対応させて登録する料金精算手段と、前記撮影手段で撮影された駐車車両の映像を基に各駐車エリアの駐車車両の出場が判定されると、該出場車両の駐車していた駐車エリアに対応する前記駐車情報記憶手段に登録された精算時刻を基に、正規の出場か不正な出場かを判定する出場判定手段と、該出場判定手段で不正な出場が判定されたとき、当該不正出場車両に関する不正利用情報を記憶する不正利用情報記憶手段と、を備えて構成される。
【０００８】
かかる構成によれば、駐車エリアに車両が入場すると、撮影手段により撮影された駐車車両の映像が車番認識手段に送られる。車番認識手段では、駐車車両の映像を基に車両番号の認識処理が行われ、認識された車両番号が入場時刻等と共に駐車情報記憶手段に記憶されると共に、該車番認識手段で認識された自車両の車両番号、駐車エリアの番号及び入場時刻等の情報が情報表示手段により利用者に対して表示される。また、料金精算手段では、駐車場から出場しようとする利用者が駐車エリアの番号を入力することにより、その入力情報に応じて駐車情報記憶手段の記憶情報が読み取られ駐車料金の算出および事前精算が行われ、当該精算金額及び精算時刻が駐車情報記憶手段の該当する駐車エリアに対応させて登録される。そして、その駐車情報記憶手段に登録された精算処理結果を基に、出場判定手段において、駐車車両の出場の正当性を判定し、不正出場が判定された場合には当該不正出場車両に関する不正利用情報（例えば、車両番号、入出場時刻や撮影手段の映像など）が不正利用情報記憶手段に記憶され、駐車エリア毎に駐車車両の入出場が管理されるようになる。
【０００９】
請求項２に記載の発明では、請求項１に記載の発明において、前記不正利用情報記憶手段は、後払いの契約車両及び月極車両についての車両番号が予め登録されており、前記出場判定手段で不正な出場と判定された出場車両の車両番号が後払いの契約車両又は月極車両の車両番号に該当するとき、当該車両に関する不正利用情報の記憶を行わないものとする。かかる構成によれば、不正利用情報記憶手段により正確な不正利用情報が記憶されるようになる。
【００１０】
請求項３に記載の発明では、請求項１又は２に記載の発明の具体的な構成として、前記駐車エリアに駐車車両の退出を阻止する退出阻止手段を設けないものとする。請求項４に記載の発明では、請求項１〜３のいずれか１つに記載の発明において、前記情報表示手段は、前記駐車エリア毎に設けられ、対応する駐車エリアに予約があるときには、当該予約時間および予約車両の車両番号を表示可能であるものとする。
【００１２】
かかる構成によれば、情報表示手段に、駐車エリア毎の駐車車両の車両番号に加えて、予約状況などの利用状況案内が出力されるようになる。
【００１３】
【発明の実施の形態】
以下、本発明の実施形態を図面に基づいて説明する。
図１は、第１の実施形態の駐車管理システムの構成を表すブロック図を示す。
図１において、本駐車管理システムは、駐車場に隣接する道路から直接乗入れが可能な各駐車エリア１, ２, …ｎに対応して設けられた、撮影手段としての複数台のＣＣＤカメラC1,C2,…Cnと、各ＣＣＤカメラC1〜Cnからの映像を切替えて車両番号等を認識する車番認識手段としての車番認識装置10と、各々の駐車エリア１〜ｎに対応して、車両番号、入場時刻や出場時刻、精算時刻や精算金額などを集中管理すると共に、駐車料金の精算を行う料金精算装置20とから構成される。
【００１４】
各ＣＣＤカメラC1〜Cnは、例えば、各々の駐車エリア１〜ｎの後方に設置され、所定の領域を常時撮影し、駐車車両が存在するときには、その駐車車両のナンバープレートを含む車両後部（ただし、後進駐車の場合）を撮影する。尚、ここではＣＣＤカメラを駐車エリアの後方に設置するようにしたが、勿論、駐車エリアの前方に設置する構成としても構わない。
【００１５】
車番認識装置10は、各ＣＣＤカメラC1〜Cnの映像を基に、駐車車両の入場及び出場を検知すると共に、駐車車両の映像のナンバープレート部分を切り出して、その映像部分に含まれる車両番号（支局名を含む全文字）を判読する。また、この車番認識装置10は、ＣＣＤカメラC1〜Cnのいずれかの映像に異常が発生したとき（例えば、ＣＣＤカメラの前に障害物が置かれた場合など）には、その異常発生を、駐車場管理者等に報知する機能を備えるものとする。尚、ここでの車番認識方法については、公知の方法と同様であるため具体的な説明は省略する。
【００１６】
料金精算装置20は、演算処理部21を中心として、記憶部22、料金精算部23及び駐車エリア入力部24から構成される。演算処理部21は、車番認識装置10の認識結果を入力して各駐車エリアの駐車状況を把握すると共に、駐車車両についての情報（例えば、車両番号、入場時刻、精算時刻、精算金額など）を記憶部22の駐車テーブル22a に記憶して管理する。また、後述するように、駐車料金の精算を行なう利用者によって駐車エリア入力部24が操作されると、その入力情報に応じて、演算処理部21が駐車テーブル22a の記憶情報を基に駐車料金を算出し、その金額を料金精算部23に表示して、利用者から駐車料金を徴収し処理する。更に、駐車料金を未払いで出場した車両の不正利用情報は、記憶部22の未払いテーブル22b に記憶される。ここでは、料金精算装置20が、料金精算手段、出場判定手段、駐車情報記憶手段（駐車テーブル22a ）及び不正利用情報記憶手段（未払いテーブル22b ）として機能する。尚、上記の記憶部22は、停電等の異常発生時を考慮して、不揮発性メモリを用いることが望ましい。
【００１７】
次に、第１の実施形態の作用を図２のフローチャートに従って説明する。
図２において、ステップ１０１（図中Ｓ１０１で示し、以下同様とする）では、駐車しようとする車両は、道路に面した駐車場の空いている駐車エリア１〜ｎに直接乗入れて駐車する。
ステップ１０２では、各駐車エリア１〜ｎに設置したＣＣＤカメラC1〜Cnが、常時対応する駐車エリアを撮影していて、車番認識装置10が、各ＣＣＤカメラC1〜Cnからの映像を基に車両が入場したか否かを判定する。この判定は、例えば、車両進入による空車時の映像の変化に基いて行われるものとする。
【００１８】
ステップ１０３では、ステップ１０２で駐車車両の入場が判定されると、その駐車車両の映像を基に、車番認識装置10が、ナンバープレートの解析を行い車両番号を判読する。判読された車両番号は、料金精算装置20へ通知される。
ステップ１０４では、ステップ１０３で判読された車両番号が、料金精算装置20の演算処理部21に入力され、演算処理部21は、通知された車両番号を駐車テーブル22a の該当する駐車エリア１〜ｎに対応させて記憶すると共に、現在時刻を入場時刻として駐車テーブル22a の該当駐車エリア１〜ｎに登録する。次の表１には、駐車テーブル22a の記憶データの一例を示す。
【００１９】
【表１】
0003883638.tif 000002
【００２０】
上記ステップ１０１〜ステップ１０４により、駐車場への入場処理が完了する。
次に、利用者は、駐車場から出場する際、その直前に駐車料金の精算を行う。ただし、ここでは駐車時間に応じて料金料金を支払う時間貸しの駐車場とする。尚、１回の駐車に対して均一の駐車料金を支払う駐車場の場合は、その精算は駐車中であればいつでもよい。ステップ１０５では、料金精算装置20で駐車料金の精算が行われるか否かが判別される。精算が行われる場合にはステップ１０６に進み、それ以外の場合はステップ１０９に移る。
【００２１】
ステップ１０６では、料金精算装置20において、駐車料金の算出及びその表示が行われる。具体的には、まず、利用者が、利用した駐車エリアの番号１〜ｎを駐車エリア入力部24から入力する。そして、入力された駐車エリア番号が演算処理部21に送られ、演算処理部21は、その駐車エリアに対応する駐車テーブル22a に記憶された車両番号や入場時刻を読取る。その読取った入場時刻と現在時刻とから駐車時間を求めて駐車料金を算出し、利用者への請求料金として料金精算部23に表示する。またこれと同時に、読取った車両番号を料金精算部23に表示して、利用者に自分の車両番号に間違いのないことを確認させる。
【００２２】
ステップ１０７では、料金精算部23の表示に従って、利用者は料金精算部23に、例えば、紙幣、硬貨などを投入することにより駐車料金の支払を行う。料金精算部23は、支払われた金額を計算して釣銭の払出等の精算処理を行う。また、領収書が必要な場合は、図示されない領収書発行ボタン等を押すことで領収書が発行される。ここでの駐車料金の精算処理は、従来の精算処理と同様である。
【００２３】
ステップ１０８では、ステップ１０７で処理された精算金額と精算時刻を駐車テーブル22a の該当する駐車エリアに対応させて登録し（表１参照）、ステップ１０９に進む。
尚、ステップ１０６〜ステップ１０８において、利用者が駐車途中で精算を行なった場合、即ち、一旦精算をした後に継続して駐車をし、再度精算を行なうようなときには、上記ステップ１０６の処理と同様にして算出した駐車料金と駐車テーブル22a に登録されている精算金額との差額を今回の請求金額として料金精算部23に表示し、そして、精算された金額を駐車テーブル22a の精算金額に加算するものとする。
【００２４】
ステップ１０９では、各駐車エリア１〜ｎの駐車車両が出場するか否かが、各ＣＣＤカメラC1〜Cnからの映像に基いて車番認識装置10で判定される。駐車車両の出場が判定されるとステップ１１０に進み、それ以外の場合はステップ１０５に戻る。
ステップ１１０では、出場が判定された車両について、駐車料金が支払い済みか未払いかの判定が行われる。この判定は、出場車両の駐車していた駐車エリアに対応する駐車テーブル22a に登録された精算時刻から現在時刻までの経過時間を求め、その経過時間が予め定めた規定時間以内であり、かつ、駐車テーブル22a に登録された精算金額に不足がなければ、正常な出場（駐車料金支払済み）と判定してステップ１１２に移る。一方、経過時間が規定時間を超えている、若しくは、駐車テーブル22a に登録された精算金額が不足している場合、または、駐車テーブル22a の該当する部分に精算時刻が登録されていない場合には、不正な出場（駐車料金未払い）と判定してステップ１１１に進む。
【００２５】
ステップ１１１では、ステップ１１０で不正な出場が判定されると、その車両に関する不正利用情報が未払いテーブル22b に登録される。未払いテーブル22b に登録される情報は、例えば、車両番号、入場時刻、出場時刻、正規の駐車料金、支払った精算金額などの他に、証拠として撮影した画像データなどとする。次の表２には、未払いテーブル22b の記憶データの一例を示す。
【００２６】
【表２】
0003883638.tif 000003
【００２７】
尚、未払いテーブル22b に登録された情報は、例えば、プリント出力等して駐車料金の請求書などを作成する基としたり、不正駐車の証拠等として使用する。また、後払いの契約車両や月極車両等については、その車両番号を予め登録して、未払いテーブル22b への登録を行なわないようにすることで対応する。
ステップ１１２では、駐車テーブル22a の該当エリアに登録されたデータをクリアして、駐車車両無しの状態にする。
【００２８】
このように第１の実施形態によれば、各駐車エリア１〜ｎにＣＣＤカメラC1〜Cnを設置して、それらＣＣＤカメラC1〜Cnの映像から認識した駐車車両の車両番号を用いて各駐車エリア１〜ｎ毎に駐車管理を行ない、不正利用に対してはその情報を記憶するようにしたことで、従来の個別管理式の駐車管理システムのように各駐車エリアにロック板等の退出阻止装置を設置しなくとも駐車料金を無人で確実に徴収できると共に、たとえ不正利用されても、記憶した情報を証拠として未払い料金の請求等を容易に行なうことができる。また、自己の車両番号が認識管理されていることを利用者に周知させるため、例えば、駐車場の入口などに「車両番号で管理している駐車場」、「車両番号を読取っていますので、正しく駐車料金をお支払い下さい。」等の掲示を行なうことで、不正利用を抑制する効果もある。更に、従来のような駐車エリア毎の退出阻止装置が不要となり、料金精算装置20の設置位置にも制約がなくなるため、大型車両等の車種に関係なく、多様な形状の駐車場に本駐車管理システムを導入でき、スペース効率が向上して駐車台数も増えて駐車場経営者の収益も向上する。
【００２９】
次に、第２の実施形態について説明する。図３は、第２の実施形態の駐車管理システムの構成を表すブロック図を示す。図３において、本駐車管理システムの構成が第１の実施形態の構成と異なる部分は、駐車場の各駐車エリア１〜ｎ毎に、駐車状況や予約状況を表示する情報表示手段としての表示装置D1,D2,…Dnをそれぞれ設け、それらの表示装置D1〜Dnの表示を料金精算装置20からの信号により制御する構成とした部分である。その他の構成は、第１の実施形態の構成と同様であり、ここでの説明を省略する。
【００３０】
各表示装置D1〜Dnは、例えば、図４に示すような機器が、それぞれの駐車エリア１〜ｎの後方で表示画面を駐車エリア前方に向けて設置される。表示画面には、対応する駐車エリアの番号が表示されると共に、料金精算装置20から送られてくる制御信号に応じて、駐車車両の車両番号等が表示されたり、予約がある場合には、その時間帯や予約車両の車両番号等が表示される。また、後述するように、予約中の駐車エリアに予約車両以外が駐車した場合に警報を発する警報器を内部に有するものとする。
【００３１】
次に、第２の実施形態の作用を図５のフローチャートに従って説明する。
図５において、まずステップ２０１では、各駐車エリア１〜ｎについての予約状況が各表示装置D1〜Dnに表示される。ここでは、駐車の予約を受けると、その予約に対応して駐車エリアが割り当てられ、その駐車エリア番号、予約時間帯及び予約車両の車両番号が料金精算装置20の演算処理部21に送られ、駐車テーブル22a の該当する駐車エリア１〜ｎに対応させて記憶されるものとする。次の表３には、駐車テーブル22a の記憶データの一例を示す。
【００３２】
【表３】
0003883638.tif 000004
【００３３】
予約の無い駐車エリアについては、演算処理部21からその駐車エリアの表示装置に予約無しを示す信号が送られて、表示画面上に空車の表示がされる。一方、予約の有る駐車エリアについては、演算処理部21からその駐車エリアの表示装置に予約時間及び予約車両の車両番号を示す信号が送られて、表示画面上に予約のある旨が表示される。予約無しの場合の表示画面の一例を図６（ａ）に示し、予約有りの場合の表示画面の一例を図６（ｂ）に示す。
【００３４】
ステップ２０２では、駐車しようとする車両が、道路に面した各駐車エリア１〜ｎに設けた表示装置D1〜Dnを確認して、その駐車エリアに直接乗り入れて駐車する。このとき、予約車両は、自己の車両番号が表示された駐車エリアに駐車し、予約をしていない車両は、空車が表示された駐車エリアに駐車する。
ステップ２０３、２０４では、第１の実施形態のステップ１０２、１０３の処理と同様に、各ＣＣＤカメラC1〜Cnからの映像を用いて、車番認識装置10で車両が入場したか否かが判定され、駐車車両の入場が判定されると、その駐車車両の映像を基に、車番認識装置10で車両番号が判読されて料金精算装置20へ通知される。
【００３５】
ステップ２０５では、車両番号が判読された駐車エリアが、予約中であるか否かが判別される。予約中の場合には、ステップ２０６に進み、予約中でない場合には、ステップ２０８に移る。
ステップ２０６では、演算処理部21において、ステップ２０４で判読した車両番号が予約車両の車両番号に一致するか否かが判別される。不一致の場合には、ステップ２０７に進み、一致する場合には、ステップ２０８に移る。
【００３６】
ステップ２０７では、演算処理部21から該当する表示装置に、予約車両番号の不一致を示す信号が送られ、表示画面に予約有りの警告表示が行われると同時に警報器から警報が発せられる。このときの表示画面の一例を図６（ｃ）に示す。これにより入場車両は、表示された予約時刻までに出場しないとき、予約中でない他の駐車エリアに移動する。
【００３７】
ステップ２０８では、第１の実施形態のステップ１０４の処理と同様に、ステップ２０４で判読された車両番号を駐車テーブル22a の該当する駐車エリア１〜ｎに記憶すると共に、現在時刻を入場時刻として駐車テーブル22a の該当駐車エリア１〜ｎに対応させて登録する（上記表３参照）。また、前記車両番号及び入場時刻を示す信号が該当する表示装置に送られ、表示画面上に、その車両番号及び入場時刻が表示される。これにより、読取った車両番号により駐車を管理していることが、利用者に通知される。このときの表示画面の一例を図６（ｄ）に示す。
【００３８】
上記ステップ２０１〜ステップ２０８により、駐車場への入場処理が完了する。
次に、駐車場からの出場処理は、第１の実施形態のステップ１０５〜ステップ１１２の処理と同様にして行われるため、ここでの説明を省略する。
尚、出場車両が予約車両の場合（予約時間帯内で退車した場合を含む）には、ステップ１１２で駐車テーブル22a の該当データをクリアする際に、予約情報もクリアする。また、予約開始時間から一定時間経過しても予約車両が駐車しない場合には、ステップ２０９で、予約情報をクリアして駐車エリアを開放するものとする。
【００３９】
このように第２の実施形態によれば、駐車エリア１〜ｎ毎に表示装置D1〜Dnをそれぞれ設けたことによって、自己の車両番号が認識管理されていることが各利用者に直接知らされるため、不正利用をより効果的に抑制することができる。また、各表示装置D1〜Dnに予約状況等を表示できるため、予約車両の駐車スペースを無人で確保でき、効率の良い駐車場の管理運営が可能となる。特に、従来、有人で予約管理してきた観光バス用駐車場等への適用が有効である。
【００４０】
尚、上述した第１、２の実施形態では、駐車車両の認識及び駐車料金の精算処理を中心に説明したが、従来の駐車管理システムにおいて一般的に実施される、例えば、音声案内、操作案内表示、料金精算方法（割引券、フリペイドカード、回数券の使用、釣銭の払出など）、満車管理、集金・集計票出力などの機能を本駐車管理システムに持たせることができることは明らかである。
【００４１】
また、駐車エリアへの車両の入場及び出場をＣＣＤカメラの映像を基に検知する構成としたが、例えば、各駐車エリアに別途車両検知センサー等を設けて入出場を検知する構成としてもよい。ただし、ＣＣＤカメラの映像を利用することでより簡略な機器構成とすることができる。
更に、ロック板などの退出阻止装置を設けない構成としたが、本発明はこれに限られるものではなく、退出阻止装置と併用してもよい。ただし、第２の実施形態において、退出阻止装置を併用する場合には、駐車予約が有るときロック板を上昇させて予約車両以外の駐車を阻止し、予約車両の入場を検知してロック板を下降させるようにする。
【００４２】
加えて、駐車テーブルに記憶させた情報を出場時にクリアする場合を説明したが、例えば、駐車テーブルの記憶情報を別途データベース化して駐車場の利用情報として蓄積し、割引等の顧客サービスに活用することも応用可能である。
また、集中精算方式の料金精算装置20としたが、各駐車エリアに料金精算装置を設け、駐車エリア別に駐車の管理、料金の精算を行なうようにしてもよい。この場合、各料金精算装置に駐車エリア入力部を設ける必要はなく、駐車料金を料金精算部に随時表示し、その表示金額に応じて利用者が駐車料金を支払うものとする。
【００４３】
更に、第２の実施形態では、各駐車エリアの後方に表示装置を設けて車両番号や入場時刻等を利用者に通知する構成としたが、本発明の情報表示手段はこれに限られるものではなく、例えば、車両番号や入場時刻等を表示したカードを発行したり、利用者のナビゲーションシステムやＩＣカードにこれらの情報を伝送して表示させるなどの応用も可能である。
【００４４】
【発明の効果】
以上説明したように、本発明のうちの請求項１に記載の発明は、駐車場の駐車エリア毎に撮影手段を設け、この撮影手段の映像から認識した駐車車両の車両番号等の情報を駐車エリアに対応させて駐車情報記憶手段に記憶し、集中精算方式の料金精算手段により駐車料金の事前精算を行って駐車管理を行なう構成としたことによって、従来の個別管理式の駐車管理システムのように各駐車エリアにロック板等の退出阻止装置を設置しなくとも、駐車料金を無人で確実に徴収できる。また、情報表示手段の表示により利用者が自己の車両番号が認識管理されていることを知ることで、不正利用を抑制する効果もある。更に、不正利用情報記憶手段を設けたことによって、駐車料金を精算せずに出場する駐車車両に関する不正利用情報が記憶されるようになるため、不正利用情報記憶手段の記憶情報を証拠として未払い料金の請求等を容易に行なうことができる。また、請求項２に記載の発明によれば、後払いの契約車両及び月極車両についての不正利用情報が不正利用情報記憶手段に記憶されなくなるため、より正確な不正利用情報を得ることが可能になる。さらに、請求項３に記載の発明によれば、駐車エリア毎の退出阻止装置が不要となり、料金精算手段の設置位置にも制約がなくなるため、大型車両等の車種に関係なく、多様な形状の駐車場に本駐車管理システムを導入でき、スペース効率が向上して駐車台数も増えて駐車場経営者の収益も向上する。
【００４５】
また、請求項４に記載の発明によれば、情報表示手段を駐車エリア毎に設け、予約時間および予約車両の車両番号を表示可能にしたことで、予約車両の駐車スペースを無人で確保でき、効率の良い駐車場の管理運営が可能となる。特に、従来、有人で予約管理してきた観光バス用駐車場等への適用が有効である。
【図面の簡単な説明】
【図１】本発明の第１の実施形態の構成を示すブロック図である。
【図２】同上第１の実施形態の作用を説明するフローチャートである。
【図３】本発明の第２の実施形態の構成を示すブロック図である。
【図４】同上第２の実施形態の表示装置の外観を示す斜視図である。
【図５】同上第２の実施形態の作用を説明するフローチャートである。
【図６】同上第２の実施形態の表示画面の一例を示す図である。
【符号の説明】
１, ２, …ｎ      駐車エリア
C1,C2,…Cn      ＣＣＤカメラ
10      車番認識装置
20      料金精算装置
21      演算処理部
22      記憶部
22a     駐車テーブル
22b     未払いテーブル
23      料金精算部
24      駐車エリア入力部
D1,D2,…Dn      表示装置
【図１】
0003883638.tif 000005
【図２】
0003883638.tif 000006
【図３】
0003883638.tif 000007
【図４】
0003883638.tif 000008
【図５】
0003883638.tif 000009
【図６】
0003883638.tif 000010